(57)【要約】【課題】  箱形筐体に収容されている発光ユニットが風雨に晒されたり塵芥で汚れたりすることを防止することができるものでありながら、箱形筐体の開放口に配備された前面板の全面で発光表示させることが可能であり、しかも、前面板の外周部が縁枠部材で遮蔽されてしまったり、斜め方向から見たときに前面板の一部が欠けて見えるといった事態を生じなくする。【解決手段】  発光ユニット１を収容した箱形筐体２０の開放口に透光性を有する前面板４を配備する。前面板４と箱形筐体２０の開放口との取付部で、前面板４の突出部４２を箱形筐体２０の外側板２２の端部に嵌合し、かつ、その外側板２２の端部を前面板４の入隅部４３に収容して前面板４の鍔形面４１に突き合わせる。外側板２２の端部と突出部４２とを接着剤７で接合する。【選択図】        図１
2007232971.tif 000002
【特許請求の範囲】
【請求項１】
発光ユニットを収容した箱形筐体の開放口に、上記発光ユニットから出た光を全面で発光表示する透光性を有する前面板が配備されている発光表示装置であって、
上記前面板の外周に鍔形面とその鍔形面から突き出た突出部とが形成されてそれらの鍔形面と突出部とが入隅部を形作り、
上記前面板と箱形筐体の開放口との取付部で、上記突出部が、上記開放口を形作っている上記箱形筐体の外側板の端部に嵌合され、かつ、その外側板の端部が上記入隅部に収容されて上記鍔形面に突き合わされていることを特徴とする発光表示装置。
【請求項２】
上記外側板の端部と上記突出部とが接着剤で接合されている請求項１に記載した発光表示装置。
【請求項３】
上記前面板は、その外周端面が上記箱形筐体の外側板の外面に段差を形成せずに滑らかに連続している請求項１又は請求項２に記載した発光表示装置。
【発明の詳細な説明】
【技術分野】
【０００１】
本発明は、発光表示装置、特に、発光ユニットを収容した箱形筐体の開放口に、上記発光ユニットから出た光を全面で発光表示する透光性を有する前面板が配備されている発光表示装置に関する。
【背景技術】
【０００２】
従来より、透光性を有する合成樹脂体に埋め込んだＬＥＤランプから出る光でその合成樹脂体の表面を発光させる面発光装置が知られている（たとえば、特許文献１参照）。この種の面発光装置を屋外に設置して電飾サインなどに用いる場合、その面発光装置を箱形筐体に収容し、その面発光装置から出た光を、箱形筐体の開放口に配備した透光性を有する前面板で発光表示させることがある。
【０００３】
ところで、一般的な発光ユニットとして採用されるＬＥＤ発光表示体、蛍光ランプ、ネオン管、その他の発光源を箱形筐体に収容させた発光表示装置では、箱形筐体の開放口に配備される前面板の取付部に水密性や防塵性を付与しておくことによって、屋外使用時に発光ユニットが風雨に晒されたり塵芥で汚れたりすることを防止するための対策を講じておくことが要求されている。
【０００４】
そして、上記要求に応え得るものとして図３又は図４に一部破断側面図で示した従来例が知られている。このうち、図３の従来例では、発光ユニット１を収容している箱形筐体２の外側板３の端部に折返し部３１を形成しておき、箱形筐体２の開放口に配備した透光性を有する前面板４の外周部をその折返し部３１の端面に突き合わせた状態で、前面板４の外周部と上記外側板３とを接着剤５で接合してある。
【０００５】
これに対し、図４の従来例では、箱形筐体２の外側板３の端部に内向きの突片部３２を具備させ、この突片部３２と外側板３に固着した縁枠部材６とによって前面板４の外周部を挾み込んでいる。
【０００６】
【特許文献１】特開２００５−１２３３５７号公報
【発明の開示】
【発明が解決しようとする課題】
【０００７】
しかしながら、図３に示した従来例は、箱形筐体２の外側板３の折返し部３１が、前面板４の板面の前方に突出しているので、前面板４を斜め方向から見たときに折返し部３１によって前面板４の一部が遮蔽されてしまう。そのために、発光ユニット１から出た光が前面板４の全面で発光表示されているとしても、斜め方向から見た場合には前面板４の端が欠けて見えることになる。また、図４に示した従来例では、縁枠部材６が前面板４の外周部を遮蔽してしまっているので、前面板４による表示面積がその縁枠部材６によって遮蔽されている部分の面積分だけ減少することになる。
【０００８】
このように上記した２種類の従来例には、前面板の全面が発光表示に使われることを意図して箱形筐体２の開放口に配備されているものであるにもかかわらず、その前面板４の外周部が欠けて見えるという問題があった。
【０００９】
本発明は以上の問題に鑑みてなされたものであり、箱形筐体に収容されている発光ユニットが風雨に晒されたり塵芥で汚れたりすることを防止することができるものでありながら、箱形筐体の開放口に配備された前面板の全面で発光表示させ得ることは勿論、その前面板の外周部が縁枠部材で遮蔽されてしまったり、斜め方向から見たときに前面板の一部が欠けて見えるといった事態が生じなくなる発光表示装置を提供することを目的とする。
【課題を解決するための手段】
【００１０】
本発明に係る発光表示装置は、発光ユニットを収容した箱形筐体の開放口に、上記発光ユニットから出た光を全面で発光表示する透光性を有する前面板が配備されている。そして、上記前面板の外周に鍔形面とその鍔形面から突き出た突出部とが形成されてそれらの鍔形面と突出部とが入隅部を形作り、上記前面板と箱形筐体の開放口との取付部で、上記突出部が、上記開放口を形作っている上記箱形筐体の外側板の端部に嵌合され、かつ、その外側板の端部が上記入隅部に収容されて上記鍔形面に突き合わされている。
【００１１】
この構成であると、前面板と箱形筐体の開放口との取付部では、前面板の突出部に嵌合されている箱形筐体の外側板の端部が、箱形筐体の入隅部に収容されて鍔形面に突き合わされていることにより、箱形筐体に収容されている発光ユニットが風雨に晒されたり発光ユニットに汚れが付着するといった事態が抑制される。それにもかかわらず、箱形筐体の外側板が前面板の前方へ突出しておらず、また、前面板の外周部が箱形筐体の外側板の一部で遮蔽されたりしていないため、前面板が一部欠けて見えるといった事態が起こり得ない。したがって、この発光表示装置によると、前面板の全面が見えるようになる。
【００１２】
本発明では、上記外側板の端部と上記突出部とが接着剤で接合されていることが望ましく、この構成を採用することによって、前面板と箱形筐体の開放口との取付部での防塵性や水密性の信頼性が向上する。
【００１３】
本発明において、上記前面板は、その外周端面が上記箱形筐体の外側板の外面に段差を形成せずに滑らかに連続していることが望ましい。これによれば、前面板の全体が箱形筐体の開放口の前側に配備されるために、前面板が一部欠けて見えるといった事態が起こり得ない。
【発明の効果】
【００１４】
以上のように、本発明によれば、箱形筐体に収容されている発光ユニットが風雨に晒されたり塵芥で汚れたりすることを防止することができるものでありながら、箱形筐体の開放口に配備された前面板の全面で発光表示させることが可能である。しかも、前面板の外周部が縁枠部材で遮蔽されてしまったり、斜め方向から見たときに前面板の一部が欠けて見えるといった事態が生じなくなり、前面板による発光表示面積が従来例に比べて拡大されるという利点がある。
【発明を実施するための最良の形態】
【００１５】
図１は本発明の実施形態に係る発光表示装置の一部破断側面図、図２は前面板を一部省略して示した側面図である。
【００１６】
図１に示した発光表示装置は、前面に開放口を備えた箱形筐体２０に発光ユニット１を収容し、かつ、その箱形筐体２０の前面の開放口に透光性を有する前面板４が配備されている。箱形筐体２０は、底板２１とその底板２１から立ち上げられた外側板２２とを有していて、たとえば屋外で風雨に晒されても容易に発錆しないステンレス鋼板などで製作されている。また、発光ユニット１には、ＬＥＤ発光表示体、蛍光ランプ、その他の発光源を採用可能であって、その用途にはネオンサインや電飾などがある。
【００１７】
図２に示したように、前面板４は、その外周に鍔形面４１とその鍔形面４１から突き出た突出部４２とが形成されてそれらの鍔形面４１と突出部４２とが入隅部４３を形作っている。そして、図１に一部拡大して示したように、前面板４と箱形筐体２０の開放口との取付部で、前面板４の突出部４２が、開放口を形作っている箱形筐体２０の外側板２２の端部に嵌合され、かつ、その外側板２２の端部が前面板４の入隅部４３に収容されて鍔形面４１に突き合わされている。また、外側板２２の端部と突出部４２とが接着剤７で接合されている。さらに、前面板４は、その外周端面４４が箱形筐体２０の外側板２２の外面に段差を形成せずに滑らかに連続している。
【００１８】
前面板４には、アクリル樹脂を好適に用いることができるほか、この前面板４を乳白色などにして光学的光散乱性を付与しておくと、発光ユニット１から出た光が前面板４を透過することによってその全面が発光する。この場合、発光ユニット１が文字や文字列、マークなどを象ったものであると、その発光ユニット１の形状が前面板４で発光表示されるようになる。
【００１９】
この実施形態において、前面板４は、箱形筐体２０の外側板２２の端部を前方から覆うように配備されているため、発光ユニット１の光が前面板４の全面で発光表示された場合に、どの方向から見ても前面板４の全体が見え、その一部が欠けて見えるような事態は起こらない。したがって、この発光表示装置によると、図３や図４で説明した従来例の発光表示装置の場合よりも前面板４による発光表示面積が拡大される。このことは、街頭やビルに設置するネオンサインや電飾パネルの性能を高めることになる。
【図面の簡単な説明】
【００２０】
【図１】本発明の実施形態に係る発光表示装置の一部破断側面図である。
【図２】前面板を一部省略して示した側面図である。
【図３】従来例の一部破断側面図である。
【図４】他の従来例の一部破断側面図である。
【符号の説明】
【００２１】
１  発光ユニット
４  前面板
７  接着剤
２０  箱形筐体
２２  箱形筐体の外側板
４１  鍔形面
４２  突出部
４３  入隅部
【図１】
2007232971.tif 000003
【図２】
2007232971.tif 000004
【図３】
2007232971.tif 000005
【図４】
2007232971.tif 000006